(57)【特許請求の範囲】
【請求項１】
直立支持部材を有するフレームと、
前記直立支持部材と摺動可能に係合した横方向部材と、
前記横方向部材と摺動可能に係合したハンドルと、
前記直立支持部材及び前記横方向部材に結合した上昇アクチュエータと、
前記横方向部材及び前記ハンドルに結合した横方向アクチュエータと、
を有し、
ユーザーを起立位置と非起立位置との間で移行させるべく、前記上昇アクチュエータが前記横方向部材を並進させると共に前記横方向アクチュエータが前記ハンドルを並進させ、
前記直立支持部材と摺動可能に係合し、且つ、前記上昇アクチュエータに結合した追加の横方向部材と、
前記追加の横方向部材と摺動可能に係合した追加のハンドルと、
前記追加の横方向部材及び前記追加のハンドルに結合した追加の横方向アクチュエータと、
を更に有し、
前記ユーザーを前記起立位置と前記非起立位置との間で移行させるべく、前記上昇アクチュエータが前記追加の横方向部材を並進させると共に前記追加の横方向アクチュエータが前記追加のハンドルを並進させ、
機械可読命令を実行するプロセッサ及び前記機械可読命令を保存する電子メモリを有する電子制御ユニットと、
前記直立支持部材に結合し、且つ、前記電子制御ユニットと通信可能に結合した姿勢検出器とを更に有し、
前記姿勢検出器は、カメラであり、ユーザーの頭及び肩の画像データをキャプチャし、該画像データを前記電子制御ユニットに出力し、且つ、
前記電子制御ユニットは、前記機械可読命令を実行することにより、
前記画像データを受信し、
ユーザーの姿勢が不適切な姿勢であるかどうかを判定するために前記画像データを処理し、且つ、
不適切な姿勢と判定された際に警報を提供する、身体補助ロボット装置。
【請求項２】
前記フレームと摺動可能に係合した基部部材と、
前記フレーム及び前記基部部材に結合した基部アクチュエータと、
を更に有し、
前記基部アクチュエータは、前記基部部材を並進させる請求項１に記載の身体補助ロボット装置。
【請求項３】
機械可読命令を実行するプロセッサ及び前記機械可読命令を保存する電子メモリを有する電子制御ユニットと、
直立支持部材を有するフレームと、
前記フレームに回転可能に結合した駆動ホイールと、
前記駆動ホイールに結合した駆動モーターと、
前記直立支持部材と摺動可能に係合した横方向部材と、
前記横方向部材と摺動可能に係合したハンドルと、
前記横方向部材及び前記ハンドルに結合し、且つ、前記電子制御ユニットと通信可能に結合した横方向アクチュエータと、
前記直立支持部材に結合し、且つ、前記電子制御ユニットと通信可能に結合した姿勢検出器であって、該姿勢検出器はカメラであり、ユーザーの頭及び肩の画像データをキャプチャし、該画像データを前記電子制御ユニットに出力する、姿勢検出器と、
前記直立支持部材及び前記横方向部材に結合し、且つ、前記電子制御ユニットと通信可能に結合した上昇アクチュエータと、
を有し、
前記電子制御ユニットは、前記機械可読命令を実行することにより、
前記電子メモリ内に保存されているデータベースから少なくとも１つのユーザーパラメータを取得し、
少なくとも１つのユーザーパラメータに少なくとも部分的に基づいて、調節可能な上昇速度を設定し、
ユーザーを起立位置と非起立位置との間で移行させるべく、前記調節可能な上昇速度に従って前記上昇アクチュエータによって前記横方向部材を並進させ、
前記画像データを受信し、
ユーザーの姿勢が不適切な姿勢であるかどうかを判定するために前記画像データを処理し、且つ、
不適切な姿勢と判定された際に警報を提供する、身体補助ロボットシステム。
【請求項４】
前記電子制御ユニットは、前記機械可読命令を実行することにより、
前記少なくとも１つのユーザーパラメータに少なくとも部分的に基づいて、調節可能な上昇停止点を設定し、且つ、
前記上昇アクチュエータによって前記横方向部材を前記調節可能な上昇停止点に配置する請求項３に記載の身体補助ロボットシステム。
【請求項５】
前記電子制御ユニットは、前記機械可読命令を実行することにより、
前記少なくとも１つのユーザーパラメータに少なくとも部分的に基づいて、調節可能な横方向速度を設定し、且つ、
前記ユーザーを前記起立位置と前記非起立位置との間で移行させるべく、前記調節可能な横方向速度に従って前記横方向アクチュエータによって前記ハンドルを並進させる請求項３に記載の身体補助ロボットシステム。
【請求項６】
前記電子制御ユニットに通信可能に結合したユーザー認識モジュールを更に有し、
前記ユーザーの身元を示す識別信号が前記電子制御ユニットに伝送され、且つ、
前記電子制御ユニットは、前記機械可読命令を実行することにより、
前記識別信号を受信し、且つ、
前記身元を前記電子メモリ内に保存する請求項３に記載の身体補助ロボットシステム。
【請求項７】
前記フレームに回転可能に結合した支持ホイールと、
前記フレームに結合し、且つ、前記電子制御ユニットと通信可能に結合した操向メカニズムと、
前記フレームに結合し、且つ、前記電子制御ユニットと通信可能に結合したナビゲーションモジュールと、
を更に有し、
前記ナビゲーションモジュールは、トポグラフ情報を前記電子制御ユニットに伝達し、且つ、
前記電子制御ユニットは、前記機械可読命令を実行することにより、
前記トポグラフ情報に少なくとも部分的に基づいて前記駆動モーターによって前記駆動ホイールを回転させ、且つ、
前記トポグラフ情報に少なくとも部分的に基づいて前記操向メカニズムによって前記身体補助ロボットシステムを操向する請求項３に記載の身体補助ロボットシステム。
【請求項８】
前記直立支持部材に結合し、且つ、前記電子制御ユニットに通信可能に結合したマンマシンインターフェイスを更に有し、
前記マンマシンインターフェイスは、目的地情報を受け取り、且つ、前記目的地情報を前記電子制御ユニットに伝達し、且つ、
前記電子制御ユニットは、前記機械可読命令を実行することにより、
前記目的地情報を前記電子メモリ内に保存し、
前記目的地情報に少なくとも部分的に基づいて前記駆動モーターによって前記駆動ホイールを回転させ、且つ、
前記目的地情報に少なくとも部分的に基づいて前記操向メカニズムによって前記身体補助ロボットシステムを操向する請求項７に記載の身体補助ロボットシステム。
【請求項９】
前記フレームに回転可能に結合した駆動ホイールと、
前記駆動ホイールに結合した駆動モーターと、
操向力を検出すべく前記電子制御ユニットに通信可能に結合した力検知装置と、
を更に有し、
前記電子制御ユニットは、前記機械可読命令を実行することにより、前記力検知装置によって検出された操向力に少なくとも部分的に基づいて前記駆動モーターによって前記駆動ホイールを回転させる請求項１に記載の身体補助ロボット装置。
【請求項１０】
操向力を検出すべく前記電子制御ユニットに通信可能に結合した力検知装置を更に有し、前記電子制御ユニットは、前記機械可読命令を実行することにより、前記力検知装置によって検出された操向力に少なくとも部分的に基づいて前記駆動モーターによって前記駆動ホイールを回転させる請求項３に記載の身体補助ロボットシステム。
【発明の詳細な説明】
【技術分野】
【０００１】
本明細書は、一般に、身体補助のための装置及びシステムに関し、且つ、更に詳しくは、着座、起立、及び歩行が制限された状態の人々に対して移動性を提供する装置及びシステムに関する。
【背景技術】
【０００２】
身体に障害を有する人々は、着座、起立、及び歩行の際に補助を必要とする場合がある。着座、起立、及び歩行の動作は、一日を通じて反復されるため、移動補助は、長時間にわたる介護者のサービスを必要とすることになる。従って、多くの場合に、移動補助を提供すべく、一日を通じて介護者が雇用されている。このような補助は有益ではあるが、介護者の不足や介護者を雇用するための費用などの経済的な制約により、介護が制限される可能性がある。更には、介護者による移動補助は、例えば、平日の９時〜５時などのように、特定の時刻に制限される可能性もある。又、長時間にわたる患者に対する身体補助は、疲労、負傷、又は憂鬱などの介護者の身体的且つ精神的な緊張をもたらす可能性もある。
【０００３】
従って、着座、起立、又は歩行を制限する身体的な障害を有する人々に対して移動性を提供する代替装置及びシステムに対するニーズが存在する。
【発明の概要】
【０００４】
一実施形態においては、身体補助ロボット装置は、直立支持部材を含むフレームと、直立支持部材と摺動可能に係合した横方向部材と、横方向部材と摺動可能に係合したハンドルと、直立支持部材及び横方向部材に結合した上昇アクチュエータと、横方向部材及びハンドルに結合した横方向アクチュエータと、を包みうる。ユーザーを起立位置と非起立位置との間で移行させるべく、上昇アクチュエータが横方向部材を並進させると共に横方向アクチュエータがハンドルを並進させる。
【０００５】
別の実施形態においては、身体補助ロボットシステムは、機械可読命令を実行するプロセッサ及び機械可読命令を保存する電子メモリを含む電子制御ユニットと、直立支持部材を含むフレームと、フレームに回転可能に結合した駆動ホイールと、駆動ホイールに結合した駆動モーターと、直立支持部材と摺動可能に係合した横方向部材と、横方向部材と摺動可能に係合したハンドルと、横方向部材及びハンドルに結合し、且つ、電子制御ユニットと通信可能に結合した横方向アクチュエータと、直立支持部材及び横方向部材に結合し、且つ、電子制御ユニットと通信可能に結合した上昇アクチュエータと、を包含可能である。電子制御ユニットは、機械可読命令を実行することにより、電子メモリ内に保存されているデータベースから少なくとも１つのユーザーパラメータを受信し、少なくとも１つのユーザーパラメータに少なくとも部分的に基づいて、調節可能な上昇速度を設定し、且つ、ユーザーを起立位置と非起立位置との間で移行させるべく、調節可能な上昇速度に従って上昇アクチュエータによって横方向部材を並進させる。
【０００６】
更に別の実施形態においては、身体補助ロボットシステムは、機械可読命令を実行するプロセッサ及び機械可読命令を保存する電子メモリを含む電子制御ユニットと、直立支持部材を有するフレームと、フレームに回転可能に結合した駆動ホイールと、フレームに回転可能に結合した支持ホイールと、駆動ホイールに結合し、且つ、電子制御ユニットと通信可能に結合した駆動モーターと、電子制御ユニットと通信可能に結合した力検知装置と、を包含可能である。電子制御ユニットは、機械可読命令を実行することにより、協働モード又は自律モードを設定し、身体補助ロボットシステムが協働モードにおいて稼働している際には、力検知装置によって検出された操向力に少なくとも部分的に基づいて駆動モーターによって駆動ホイールを回転させ、且つ、身体補助ロボットシステムが自律モードにおいて稼働している際には、駆動モーターによって駆動ホイールを回転させて身体補助ロボットシステムを自律的に推進させることができる。
【０００７】
本明細書に記述されている実施形態によって提供されるこれらの及び更なる特徴については、添付図面との関連において、以下の詳細な説明を参照することにより、更に十分に理解することができよう。
【０００８】
添付図面に示されている実施形態は、事実上、例証及び例示を目的としたものであり、従って、請求項に規定されている主題を限定することを意図したものではない。例示用の実施形態に関する以下の詳細な説明は、添付図面との関連において参照された際に理解することが可能であり、これらの添付図面においては、同一の構造が同一の参照符号によって示されている。
【図面の簡単な説明】
【０００９】
【図１】本明細書に図示及び記述されている１つ又は複数の実施形態に係る身体補助ロボット装置の側面図を概略的に示す。
【図２】本明細書に図示及び記述されている１つ又は複数の実施形態に係る身体補助ロボット装置の側面図を概略的に示す。
【図３Ａ】本明細書に図示及び記述されている１つ又は複数の実施形態に係る身体補助ロボット装置の側面図を概略的に示す。
【図３Ｂ】本明細書に図示及び記述されている１つ又は複数の実施形態に係る身体補助ロボット装置の側面図を概略的に示す。
【図３Ｃ】本明細書に図示及び記述されている１つ又は複数の実施形態に係る身体補助ロボット装置の側面図を概略的に示す。
【図４】本明細書に図示及び記述されている１つ又は複数の実施形態に係る身体補助ロボット装置の構造図を概略的に示す。
【図５】本明細書に図示及び記述されている１つ又は複数の実施形態に係る身体補助ロボット装置の構造図を概略的に示す。
【図６Ａ】本明細書に図示及び記述されている１つ又は複数の実施形態に係る身体補助ロボット装置の平面図を概略的に示す。
【図６Ｂ】本明細書に図示及び記述されている１つ又は複数の実施形態に係るフレームの平面図を概略的に示す。
【図６Ｃ】本明細書に図示及び記述されている１つ又は複数の実施形態に係るフレームの平面図を概略的に示す。
【図７】本明細書に図示及び記述されている１つ又は複数の実施形態に係る身体補助ロボット装置の側面斜視図を概略的に示す。
【発明を実施するための形態】
【００１０】
図１は、身体補助ロボットシステムの一実施形態を概略的に示している。身体補助ロボットシステムは、概して、身体補助ロボット装置と、電子制御ユニットと、を有する。身体補助ロボット装置は、概して、フレームと、ユーザー持上げ部材と、を有する。電子制御ユニットは、フレームに対してユーザー持上げ部材を作動させ、ユーザーを起立位置と非起立位置の間で移行させる。以下、身体補助ロボット装置及び身体補助ロボットシステムの様々な実施形態について更に詳細に説明することとする。
【００１１】
本明細書に記述されている実施形態は、ユーザーを補助して非起立位置と起立位置の間で移行させうる。その他の実施形態は、ユーザーを目的地まで案内する協働モード及び自律モードを提供することにより、歩行を促進しうる。更なる実施形態は、ユーザーを所望の目的地まで搬送する自律型装置により、更なる移動性を提供しうる。
【００１２】
まず、図１を参照すれば、身体補助ロボット装置１００の一実施形態が概略的に示されている。身体補助ロボット装置１００は、概して、フレーム１１０と、ユーザー持上げ部材１０２と、を有する。フレーム１１０は、フレーム１１０をほぼ鉛直に延長させる直立支持部材１１２を有する。フレーム１１０は、身体補助ロボット装置１００の基礎構造を形成しており、且つ、例えば、金属、プラスチック、又は複合材料などの剛性材料を含んでなる。フレーム１１０は、多数の直角を有するように形成されるものとして記述されているが、フレーム１１０は、後程詳述するように、身体補助ロボット装置１００の動作のための適切な基部を提供する任意の形状を具備可能であることに留意されたい。更には、直立支持部材１１２は、本開示の範囲を逸脱することなしに、真の鉛直の向きを逸脱するように、鉛直ではない態様により、反ったり、屈曲したり、又は湾曲したりすることも可能であることを理解されたい。
【００１３】
更に図１を参照すれば、本明細書に記述されている実施形態においては、ユーザー持上げ部材１０２は、横方向部材１３０と、ハンドル１３２と、上昇アクチュエータ１２４と、横方向アクチュエータ１２６と、を有する。上昇アクチュエータ１２４が横方向部材１３０を並進させると共に横方向アクチュエータ１２６がハンドル１３２を並進させることにより、ユーザーを起立位置１８０（図３Ｂ）と非起立位置１８２の間において移行させる。横方向部材１３０は直立支持部材１１２と摺動可能に係合しており、且つ、ハンドル１３２も横方向部材１３０と摺動可能に係合している。横方向部材１３０及びハンドル１３２は、直立支持部材１１２から離れるように突出している。上昇アクチュエータ１２４は、直立支持部材１１２及び横方向部材１３０に結合されている。横方向アクチュエータ１２６は、横方向部材１３０及びハンドル１３２に結合されている。例えば、上昇アクチュエータ１２４は、直立支持部材１１２に結合された駆動モーターと、横方向部材１３０に結合された延長アームと、を具備するリニアモーターであってよい。同様に、横方向アクチュエー１２６も、横方向部材１３０に結合された駆動モーターと、ハンドル１３２に結合された延長アームと、を具備するリニアモーターであってよい。更なる実施形態においては、リニアモーターは、逆の向きにおいて結合可能である。尚、本明細書において使用されている「アクチュエータ」という用語は、機械的なリンク装置、電気機械的なシステム、電気モーター、液圧メカニズム、空圧メカニズム、及びこれらの均等物などの別のメカニズムの動作のために計測された量のエネルギーを供給及び伝達する任意のサーボメカニズムを意味している。従って、リニアモーターとして記述されているが、上昇アクチュエータ１２４、横方向アクチュエータ１２６、及び本明細書に記述されている任意のその他のアクチュエータは、任意のタイプのサーボメカニズムとして構成されうる。
【００１４】
更には、本明細書において使用されている「並進運動させる」という用語は、実質的な回転又は実質的な角度変位を伴うことなしに運動又は摺動させることを意味していることに留意されたい。例えば、本明細書に記述されている実施形態においては、上昇アクチュエータ１２４は、正又は負のｙ軸方向において横方向部材１３０を並進させ、且つ、横方向アクチュエータ１２６は、正又は負のｙ軸方向においてハンドル１３２を並進させる。但し、本明細書において提供されている座標軸は、説明を目的したものであることに留意されたい。従って、本明細書に記述されている並進は、特定の座標軸に限定されるものではない。
【００１５】
図２に概略的に示されている身体補助ロボット装置の代替実施形態１０１においては、ユーザー持上げ部材２０２は、並進ではなく、回転運動を利用している。ユーザー持上げ部材２０２は、ｚ軸を中心として回転し、ユーザーを起立位置１８０（図３Ｂ）と非起立位置１８２の間で移行させる。ユーザー持上げ部材２０２は、横方向回転ハウジング２０４と、横方向回転部材２０５と、回転アクチュエータ２０６と、半径方向支持部材２０８と、胴体支持部材２１０と、を有する。半径方向支持部材２０８は、フレーム１１０と回転可能に係合すると共に、フレーム１１０から鉛直に胴体支持部材２１０に向かって突出しており、胴体支持部材は、ユーザーの胴体を支持すべく成形されている。半径方向支持部材２０８は、横方向回転部材２０５に結合されている。横方向回転部材２０５は、半径方向支持部材２０８から突出しており、且つ、横方向回転ハウジング２０４と摺動可能に係合している。横方向回転ハウジング２０４は、直立支持部材１１２に回転可能に係合しており、且つ、回転アクチュエータ２０６に結合している。回転アクチュエータ２０６は、横方向回転部材２０５にも結合されており、且つ、回転支持部材２０８を回転させてユーザーを起立位置１８０（図３Ｂ）と非起立位置１８２の間で移行させる。いくつかの実施形態においては、胴体支持部材２１０は、快適な使用のためにパッドが付与されている。
【００１６】
次に図４及び図５を参照すれば、身体補助ロボットシステムの実施形態２００、２０１は、複数の動作を制御する電子制御ユニット１２０を有することができる。電子制御ユニット１２０は、機械可読命令を実行するプロセッサと、機械可読命令及び機械可読情報を保存する電子メモリ１２２と、を有する。プロセッサは、集積回路、マイクロチップ、コンピュータ、又は機械可読命令を実行する能力を有する任意のその他の演算装置であってよい。電子メモリ１２２は、ＲＡＭ、ＲＯＭ、フラッシュメモリ、ハードドライブ、又は機械可読命令を保存する能力を有する任意の装置であってよい。本明細書に記述されている実施形態においては、プロセッサ及び電子メモリ１２２は、電子制御ユニット１２０と一体化されている。但し、電子制御ユニット１２０、プロセッサ、及び電子メモリ１２２は、本開示の範囲を逸脱することなしに、相互に通信可能に結合された別個のコンポーネントであってもよいことに留意されたい。更には、本明細書において使用されている「通信可能に結合する」という文言は、例えば、導電性の媒体を介した電気信号、空中を介した電磁信号、光導波路を介した光学信号、及びこれらに類似のものなどのデータ信号をコンポーネントが相互に伝達する能力を有することを意味していることに留意されたい。
【００１７】
図４に概略的に示されているように、電子制御ユニット１２０の実施形態は、多数のモジュール及びこれらのモジュールと関連した動作を制御している。例えば、身体補助ロボットシステムの一実施形態２００は、電子メモリ１２２、上昇アクチュエータ１２４、横方向アクチュエータ１２６、追加の横方向アクチュエータ１２８、駆動モーター１４０、力検知装置１５０、追加の力検知装置１５２、操向メカニズム１５４、マンマシンインターフェイス１５６、ナビゲーションモジュール１５８、基部アクチュエータ１６２、足置きアクチュエータ１６６、無線通信機１７０、姿勢検出器１７２、及びユーザー認識モジュール１７４に通信可能に結合された電子制御ユニット１２０を有する。
【００１８】
再度図５を参照すれば、身体補助ロボットシステムの代替実施形態２０１は、電子メモリ１２２、駆動モーター１４０、力検知装置１５０、追加の力検知装置１５２、操向メカニズム１５４、マンマシンインターフェイス１５６、ナビゲーションモジュール１５８、基部アクチュエータ１６２、足置きアクチュエータ１６６、無線通信機１７０、姿勢検出器１７２、ユーザー認識モジュール１７４、及び回転アクチュエータ２０６に通信可能に結合された電子制御ユニット１２０を有する。従って、前述のように、本開示の実施形態は、電子制御ユニット１２０を利用してモジュールの集合体を制御し、結合性を有する動作の組を形成している。以下、これらの結合性を有する動作について、更に詳細に説明することとする。
【００１９】
次に図６Ａを参照すれば、基部部材１６０及び基部アクチュエータ１６２が概略的に示されている。一実施形態によれば、基部部材１６０は、フレーム１１０と摺動可能に係合している。基部アクチュエータ１６２は、基部部材１６０を延長させて安定化構造を提供すると共に、構造を小型にすべく基部部材１６０を引き込む。基部アクチュエータ１６２は、フレーム１１０及び基部部材１６０に結合されている。一実施形態においては、基部アクチュエータ１６２は、フレーム１１０に結合された駆動モーターと、基部部材１６０に結合された延長アームと、を有するリニアモーターである。本明細書において使用されている「摺動可能に」という用語は、調節可能、又は摺動によって運動可能であることを意味することに留意されたい。更なる実施形態は、移動性を提供すべく基部部材１６０に回転可能に結合された支持ホイール１１６を有する。例えば、身体補助ロボット装置１００は、例えば、フレーム１１０を支持すべく構成された複数の支持ホイール１１６を有することができる。
【００２０】
更に図６Ａを参照すれば、身体補助ロボット装置１００の実施形態は、追加の横方向部材１３４と、追加のハンドル１３６と、追加の横方向アクチュエータ１２８と、を有し、これらは、ユーザーが把持するための更なるメカニズムを提供することにより、ユーザーを起立位置１８０（図３Ｂ）と非起立位置１８２（図３Ａ）の間で移行させる。一実施形態においては、上昇アクチュエータ１２４は、追加の横方向部材１３４をｙ軸に沿って並進させ、且つ、追加の横方向アクチュエータ１２８は、追加のハンドル１３６をｘ軸に沿って並進させる。追加の横方向アクチュエータ１３４は、直立支持部材１１２と摺動可能に係合しており、且つ、追加のハンドル１３６は、追加の横方向部材１３４と摺動可能に係合している。追加の横方向部材１３４及び追加のハンドル１３６は、直立支持部材１１２から離れるように突出している。上昇アクチュエータ１２４は、直立支持部材１１２及び追加の横方向部材１３４に結合されている。追加の横方向アクチュエータ１２８は、追加の横方向部材１３４及び追加のハンドル１３６に結合されている。一実施形態において、上昇アクチュエータ１２４は、直立支持部材１１２に結合された駆動モーターと、横方向部材１３０及び追加の横方向部材１３４に結合された延長アームと、を具備するリニアモーターであってよい。追加の横方向アクチュエータ１２８も、追加の横方向部材１３４に結合された駆動モーターと、追加のハンドル１３６に結合された延長アームと、を具備するリニアモーターである。別の実施形態においては、上昇アクチュエータ１２４の代わりに、複数のアクチュエータが使用されている。例えば、横方向部材１３０及び追加の横方向部材１３４のそれぞれは、ｙ軸に沿った並進のために別個のアクチュエータに結合されている。更なる実施形態においては、横方向アクチュエータ１２６及び追加の横方向アクチュエータ１２８の代わりに、単一のアクチュエータを使用しうる。例えば、ハンドル１３２及び追加のハンドル１３６をｘ軸に沿って摺動可能に並進させるべく、１つのアクチュエータをギア及びリンク装置と結合可能である。
【００２１】
更なる実施形態においては、ギア及びリンク装置と結合された単一のアクチュエータにより、ｘ軸に沿ったハンドル１３２及び追加のハンドル１３６の並進及びｙ軸に沿った横方向部材１３０及び追加の横方向部材１３４の並進のための作動を提供可能である。本明細書において使用される「ホイール」という用語は、例えば、球体、円板、オムニホイール、メカナムホイール、及びこれらの均等物などの、軸上において回転すべく構成された円形断面を有する物体を意味することに留意されたい。
【００２２】
次に図１及び図２を参照すれば、本開示の実施形態は、駆動ホイール１１４と、駆動モーター１４０と、を有する。駆動モーター１４０は、駆動ホイール１１４を回転させて身体補助ロボット装置１００、１０１を推進させる。駆動ホイール１１４は、フレーム１１０に回転可能に結合されている。駆動モーター１４０は、駆動モーター１４０によって駆動ホイール１１４が回転するように、駆動ホイール１１４に結合されている。一実施形態においては、駆動モーター１４０は、回転エネルギーを駆動ホイールに供給する電池電力供給型の電気モーターである。更なる実施形態においては、駆動モーター１４０は、複数のホイールを回転させて身体補助ロボット装置を推進させる。
【００２３】
又、身体補助ロボット装置１００の実施形態は、図６Ａに示されているように、フレーム１１０に結合された操向メカニズム１５４を有してもよい。操向メカニズム１５４は、身体補助ロボット装置１００のコースを操向する。操向メカニズム１５４が、ホイールを旋回させるための機械的なリンク装置として描かれているが、操向メカニズム１５４は、例えば、ラックとピニオン、ボール循環メカニズム（recirculating ball mechanism）、オムニホイール（omni wheel）、メカナムホイール（mecanum wheel）、及びこれらの均等物などの、装置を操向するのに好適な任意の装置であってよいことに留意されたい。
【００２４】
又、フレーム１１０は、図６Ａ〜図６Ｃに概略的に示されているように、足置き１６４と、足置きアクチュエータ１６６と、を有してもよく、これらは、身体補助ロボット装置に乗る際に、人間工学に基づいた支持をユーザーの足に提供することによってユーザーを補助する。足置き１６４は、フレーム１１０と運動可能に係合可能であり、且つ、足置きアクチュエータ１６６に結合可能である。足置きアクチュエータ１６６は、フレーム１１０に結合しており、且つ、足置き１６４を収納又は展開すべく動作する。足置き１６４は、フレーム１１０内に引き込まれることによって収納される。足置き１６４は、横断方向において運動することも可能であり（図６Ａ及び図６Ｃ）、或いは、軸を中心として回転することも可能である（図６Ｂ）。一実施形態において、フレーム１１０は、複数の足置き１６４と運動可能に係合している。別の実施形態においては、足置き１６４は、足置き１６４が実質的に静止した位置に留まるように、フレーム１１０に結合されている。更なる実施形態においては、足置きは、後程詳述するように、力検知装置１５０、追加の力検知装置１５２、又はこれらの組合せを有することができる。
【００２５】
次に図７を参照すると、本開示の更なる実施形態は、ユーザーとやり取りするためのマンマシンインターフェイス１５６を有してもよい。マンマシンインターフェイス１５６は、直立支持部材１１２に結合可能であり、且つ、電子制御ユニット１２０と通信可能に結合可能である。マンマシンインターフェイス１５６は、ユーザーから目的地情報を受け取り、且つ、目的地情報を電子制御ユニットに伝達する。電子制御ユニット１２０（図４及び図５）は、機械可読命令を実行することにより、目的地情報を電子メモリ１２２内に保存し、目的地情報に少なくとも部分的に基づいて駆動モーター１４０によって駆動ホイール１１４を回転させ、且つ、目的地情報に少なくとも部分的に基づいて操向メカニズム１５４によって操向する。例えば、マンマシンインターフェイス１５６の一実施形態は、タッチスクリーンである。ユーザーは、タッチスクリーン上に表示された選択肢を選択することにより、情報を入力可能である。目的地を選択する際には、地図が表示され、且つ、ユーザーは、画面の適切な部分に接触することにより、所望の情報を選択する。或いは、この代わりに、ユーザーは、タッチスクリーン上に表示された英数字の選択肢を使用して情報を打ち込むことにより、目的地を選択することも可能である。尚、本明細書には、タッチスクリーンが説明されているが、マンマシンインターフェイス１５６は、例えば、モニタ、ボタン、スイッチ、スピーカ、マイクロフォン、又は音声認識システムなどの、ユーザーと情報を交換する任意の装置であってよい。
【００２６】
ユーザー固有の情報も、マンマシンインターフェイス１５６を介して入力可能であり、且つ、電子メモリ１２２内に保存可能である。電子制御ユニット１２０は、このような情報、即ち、ユーザーパラメータを利用し、本明細書に記述されている実施形態の運動又は機能をカスタマイズ可能である。図４に概略的に示されている身体補助ロボットシステム２００の一実施形態においては、電子制御ユニット１２０は、ユーザーを起立位置１８０と非起立位置１８２との間で移行させるべく、上昇アクチュエータ１２４及び横方向アクチュエータ１２６と通信可能に結合されている。例えば、身長、体重、病状、及びこれらの均等物などの少なくとも１つのユーザーパラメータが、データベース内に存在しており、このデータベース内においては、少なくとも１つのユーザーパラメータがユーザーの身元と関連付けられている。このデータベースは、電子制御ユニット１２０の電子メモリ１２２内に保存されている。又、少なくとも１つのユーザーパラメータに少なくとも部分的に基づいて、調節可能な上昇速度を算出するための機械可読命令も、電子メモリ内に保存されている。電子制御ユニット１２０は、機械可読命令を実行することにより、データベースから少なくとも１つのユーザーパラメータを取得し、機械可読命令に従って、調節可能な上昇速度を設定し、且つ、調節可能な上昇速度に従って上昇アクチュエータ１２４によって横方向部材１３０を並進させる。例えば、上昇アクチュエータ１２４が虚弱なユーザーを起立位置１８０（図３Ｂ）に向かって補助しようとしている際には、調節可能な上昇速度は、例えば、限定限定するものではないが、上昇アクチュエータ１２４に供給される電力を制限することにより、相対的に低い速度に設定可能である。更には、ユーザーの体重に従って電力をスケーリングすることも可能である。即ち、体重の増加に比例して電力を増大させるのである。この結果、ロボット型人間搬送装置１００の動作を特定のユーザーのニーズ及び所望内容に対してカスタマイズしうる。
【００２７】
又、少なくとも１つのユーザーパラメータに少なくとも部分的に基づいて、調節可能な上昇停止点を算出するための機械可読命令を電子メモリ内に保存することも可能である。本開示の実施形態においては、電子制御ユニット１２０は、機械可読命令を実行することにより、データベースから少なくとも１つのユーザーパラメータを取得し、機械可読命令に従って、調節可能な上昇停止点を設定し、且つ、上昇アクチュエータ１２４によって横方向部材を調節可能な上昇停止点に配置する。例えば、上昇アクチュエータ１２４が背の高いユーザーを起立位置１８０（図３Ｂ）に向かって補助しようとしている際には、調節可能な上昇停止点は、相対的に高い場所に設定可能である。従って、調節可能な上昇停止点の高さを身長の増大に比例して増大させることができる。別の実施形態においては、少なくとも１つのユーザーパラメータに少なくとも部分的に基づいて、調節可能な横方向速度を算出するための機械可読命令も電子メモリ内に保存されている。電子制御ユニット１２０は、機械可読命令を実行することにより、データベースから少なくとも１つのユーザーパラメータを取得し、機械可読命令に従って、調節可能な横方向速度を設定し、且つ、調節可能な横方向速度に従って横方向アクチュエータ１２６によってハンドル１３２を並進させる。例えば、横方向アクチュエータ１２６が虚弱なユーザーを起立位置１８０（図３Ｂ）にむかって補助しようとしている際には、調節可能な横方向速度は、例えば、限定するものではないが、横方向アクチュエータ１２６に供給される電力を制限することにより、相対的に低い速度に設定しうる。
【００２８】
図６Ａ及び図７に概略的に示されている身体補助ロボット装置１００は、ユーザーの身元を認識するユーザー認識モジュール１７４を有する。ユーザー認識モジュール１７４は、直立支持部材１１２に結合可能であり、且つ、電子制御ユニット１２０と通信可能に結合可能である。ユーザー認識モジュール１７４は、ユーザーの身元を検知し、且つ、ユーザーの身元を示す識別信号を電子制御ユニット１２０に伝送する。電子制御ユニット１２０は、機械可読命令を実行することにより、識別信号を受信し、且つ、身元を電子メモリ１２２（図４）内に保存する。ユーザー認識モジュール１７４は、バーコードスキャナ、顔面認識カメラ、指紋スキャナ、ＰＩＮデータを受け取るためのキーパッド、及びこれらの均等物であってよい。一実施形態においては、バーコードスキャナが直立支持部材１１２に取り付けられており、且つ、このバーコードスキャナは、例えば、限定するものではないが、患者識別リストバンドなどの表面から身元と関連するバーコードを判読すべく動作可能である。バーコードスキャナは、バーコードを解釈し、且つ、身元と関連した情報を電子制御ユニット１２０に伝送する。情報が受信されたら、前述のように、その情報を使用し、適切な少なくとも１つのユーザーパラメータを見出すことができる。
【００２９】
図６Ａ及び図７を更に参照すると、身体補助ロボット装置１００の更なる実施形態は、ユーザーの適切な姿勢を認識する姿勢検出器１７２を有する。姿勢検出器１７２は、直立支持部材１１２に結合可能であり、且つ、電子制御ユニット１２０と通信可能に結合可能である。姿勢検出器１７２は、ユーザーの姿勢を示す姿勢信号を電子制御ユニット１２０に伝送する。電子制御ユニット１２０は、機械可読命令を実行することにより、姿勢信号を受信し、且つ、危険な姿勢に関する警報を提供する。更には、電子制御ユニット１２０は、電子制御ユニット１２０と通信可能に結合されたその他のコンポーネントに、例えば、動作電力の低減、制御された方式によるシャットダウン、又はユーザー姿勢の矯正など、検出された姿勢に従って矯正的な動作を実行させることができる。一実施形態においては、電子制御ユニット１２０（図４及び図５）は、ユーザーの姿勢に基づいて、電子制御ユニット１２０と通信可能に結合された駆動モーター１４０により、相対的に低い速度において駆動ホイール１１４を回転させる。別の実施形態においては、電子制御ユニット１２０は、上昇アクチュエータ１２４によって横方向部材１３０を並進させてユーザーの重心を変更すると共に不適切な姿勢を矯正する。更なる実施形態においては、電子制御ユニット１２０は、横方向アクチュエータ１２６によってハンドル１３２を並進させてユーザーの重心を変更すると共に危険な姿勢を矯正する。
【００３０】
姿勢検出器１７２は、ユーザーの姿勢を識別する能力を有する任意のタイプのコンピュータビジョンシステムであってよい。例えば、姿勢検出器１７２は、カメラを利用してユーザーの頭及び肩の画像をキャプチャし、基準座標系との関係においてそれぞれの身体部位の位置及び向きを判定可能である。次いで、この情報を電子制御ユニット１２０に伝送可能であり、電子制御ユニットにおいて、この情報は、ユーザーの姿勢が適切であるかどうかを判定すべく処理される。不適切な姿勢が検出された場合には、モニタ、タッチスクリーン、スピーカ、警告灯、及びこれらの均等物を介して、警報をユーザーに提供可能である。更には、画像データは、単一画像として、複数の画像として、或いは、ビデオとして収集可能であることに留意されたい。
【００３１】
次に図６Ａ及び図７を参照すると、身体補助ロボット装置１００の実施形態は、ユーザーを所望の目的地に案内するナビゲーションモジュール１５８を有することもできる。（後述する）協働モード又は自律モードのいずれかにおいて、ナビゲーションモジュールを利用し、位置情報を電子制御ユニット１２０に供給可能である（図４及び図５）。ナビゲーションモジュール１５８は、フレーム１１０に結合されており、且つ、電子制御ユニット１２０に通信可能に結合されている。ナビゲーションモジュール１５８は、トポグラフ情報を電子制御ユニット１２０に伝達する。電子制御ユニット１２０は、機械可読命令を実行することにより、トポグラフ情報に少なくとも部分的に基づいて駆動モーター１４０によって駆動ホイール１１４を回転させ、且つ、トポグラフ情報に少なくとも部分的に基づいて操向メカニズム１５４によって身体補助ロボット装置１００及び１０１を操向する。尚、本明細書において使用されている「トポグラフ情報」という用語は、検知されたエリアの地物、関係、構成を意味している。
【００３２】
ナビゲーションモジュール１５８は、任意の数のソナーセンサ、レーザー距離計、オンボードカメラ、及びトポグラフ情報を検知するこれらの均等物を包みうる。一実施形態においては、電子メモリ１２２（図４及び図５）は、施設の地図（例えば、主要な目印及び目的地を有する病院のもの）を保存している。ナビゲーションモジュール１５８は、ソナー、赤外線信号、高周波信号などを利用し、主要な目印を検出可能である。次いで、検出情報は、システムの相対的位置を判定する電子制御ユニット１２０（図４及び図５）に伝送される。相対的な位置が判定されたら、電子制御ユニットによって制御された駆動モーター１４０及び操向メカニズム１５４がシステムを目的地に向かって導く。この検出及び適合のシーケンスは、目的地に到達する時点まで反復される。目的地は、ユーザーによって入力可能であり、或いは、電子メモリ１２２内に予めプログラムしておくことも可能であることに留意されたい。
【００３３】
本開示の別の実施形態においては、身体補助ロボット装置１００は、身体補助ロボット装置１００の場所を示す位置信号を伝送する無線通信機１７０を有する。無線通信機１７０は、例えば、ラジオ、パーソナルエリアネットワーク装置、ローカルエリアネットワーク装置、ワイドエリアネットワーク装置、及びこれらの均等物などの無線で通信する任意のタイプの装置であってよい。例えば、病院は、ラージエリアネットワークを装備可能であり、且つ、無線通信機１７０は、無線ネットワークインターフェイスカードであってよい。無線ネットワークインターフェイスカードは、ローカルエリアネットワークに接続されたコンピュータ又はモバイル装置などの任意の装置と通信する。従って、無線通信機１７０は、ネットワークに接続された装置との間において、場所、ユーザーパラメータ情報、又は任意のその他のデータなどの情報を交換可能である。例えば、無線通信機１７０は、ネットワークに接続されたサーバーから伝送されるトポグラフ情報又は駆動命令を受信可能である。
【００３４】
次に図６Ａ〜図７を参照すると、本開示の実施形態は、力検知装置１５０を有し、この力検知装置は、協働モードにおいて本開示の実施形態をユーザーが動作させるための制御メカニズムを提供する。力検知装置１５０は、電子制御ユニット１２０（図４及び図５）と通信可能に結合されており、電子制御ユニットが、機械可読命令を実行して協働モード又は自律モードを設定する。
【００３５】
協働モードにおいて動作している際には、電子制御ユニット１２０は、力検知装置１５０によって検出された操向力に少なくとも基づいて駆動モーター１４０によって駆動ホイール１１４を回転させる。一実施形態において、力検知装置１５０（図６Ａ）は、ハンドル１３２に印加された操向力を検知すべく、横方向部材１３０とハンドル１３２との間に配設されている。ユーザーは、操向力をハンドル１３２に印加することにより、身体補助ロボットシステム２００を動作させる。電子制御ユニット１２０は、検知された操向力に応答し、例えば、力検知装置１５０によって検出された操向力に比例して駆動ホイール１１４の回転速度を設定する。従って、ハンドルから検知される操向力が増大するのに伴って、駆動ホイール１１４の回転速度が増大する。例えば、ユーザーは、ハンドル１３２を把持した状態において歩行可能である。ユーザーの歩行ペースにより、駆動ホイール１１４の回転速度が制御される。同様に、ユーザーは、ハンドル１３２を把持しつつ、足置き１６４によって支持された状態において、乗ることも可能である。ユーザーの体重シフトの大きさが力検知装置１５０によって検出され、且つ、これにより、駆動ホイール１１４の回転速度が制御される。別の実施形態においては、力検知装置１５０（図６Ｃ）は、足置き１６４に印加された操向力を検知すべく、足置き１６４上に又はその内部に配設されている。ユーザーは、操向力を足置き１６４に印加して駆動ホイール１１４の回転速度を制御することにより、身体補助ロボットシステム２００を動作させる。ユーザーは、例えば、体重をシフトさせることによって操向力を力検知装置１５０に印加しつつ、足置き１６４によって支持された状態において、乗ることができる。この結果、前述のように、力検知装置１５０によって速度が制御される。この速度制御は、ユーザーが速度を制御している際に、コースに沿って身体補助ロボットシステム２００を案内するナビゲーションモジュール１５８及び操向メカニズム１５４によって補うことができる。
【００３６】
更なる実施形態は、電子制御ユニット１２０に通信可能に結合された追加の力検知装置１５２を有する。一実施形態においては、追加の力検知装置１５２（図６Ａ）は、追加のハンドル１３６に印加された操向力を検知すべく、追加の横方向部材１３４と追加のハンドル１３６の間に配設されている。別の実施形態においては、追加の力検知装置１５２（図６Ｂ）は、足置き１６４に印加された操向力を検知すべく、足置き１６４上又はその内部に配設されている。ユーザーは、異なる量の操向力を力検知装置１５０及び追加の力検知装置１５２に印加することにより、操向メカニズム１５４を操向する。例えば、電子制御ユニット１２０は、異なる量の操向力に応答し、操向メカニズムによって身体補助ロボットシステム２００を旋回させる。
【００３７】
自律モードにおいて動作している際には、電子制御ユニット１２０は、駆動モーター１４０によって駆動ホイール１１４を回転させ、身体補助ロボットシステム１００を自律的に推進させる。例えば、身体補助ロボットシステム２００は、電子メモリ１２２内に保存されている目的地に、ユーザーを自律的に搬送可能である。電子制御ユニット１２０は、機械可読命令を実行することにより、目的地をトポグラフ情報と比較し、且つ、目的地に到達するための適切な動作シーケンスを決定する。電子制御ユニット１２０が駆動モーター１４０及び操向メカニズム１５４を制御し、目的地に向かって推進させる。身体補助ロボットシステム２００、２０１は、自律的にユーザーを目的地に搬送可能である。
【００３８】
次に図１及び図３Ａ〜図３Ｃを参照すれば、本開示の実施形態は、ユーザーを起立位置１８０と非起立位置１８２との間で移行させる。例えば、身体補助ロボットシステム２００の一実施形態は、ユーザーのベッドサイドに自律的にナビゲートする（図１）。ユーザーは、非起立位置１８２にある際に、ハンドル１３２を把持する。横方向アクチュエータ１２６（図３Ａ）がハンドル１３２をｘ軸に沿って直立支持部材１１２に向かって並進させ、且つ、ユーザーの重心を前方にシフトさせる。基部アクチュエータ１６２（図３Ａ）が、基部部材１６０を直立支持部材１１２から離れるようにｘ軸に沿って並進させる。上昇アクチュエータ１２４（図３Ｂ）が、横方向部材１３０をｙ軸に沿って並進させ、これにより、ユーザーの起立位置１８０への持ち上げを補助する。前述のように、ユーザーが所望の目的地に案内された後に（図３Ｃ）、横方向アクチュエータ１２６は、ハンドル１３２を直立支持部材１１２から離れるようにｘ軸に沿って並進させ、且つ、ユーザーの重心を後方にシフトさせる。上昇アクチュエータ１２４が、横方向部材１３０をｙ軸に沿って並進させ、これにより、ユーザーの非起立位置１８２への降下を補助する。尚、起立位置１８０と非起立位置との間での移行が順番に記述されているが、上昇アクチュエータ１２４及び横方向アクチュエータ１２６の動作は、本開示の範囲を逸脱することなしに、任意の順序において、或いは、同時に、実行可能であることに留意されたい。
【００３９】
次に図２及び図５を参照すれば、身体補助ロボットシステム２０１の代替実施形態は、電子制御ユニット１２０に通信可能に結合された回転アクチュエータ２０６を有する。電子制御ユニット１２０は、機械可読命令を実行することにより、回転アクチュエータ２０６によって半径方向支持部材１２８を回転させ、ユーザーを起立位置１８０と非起立位置１８２との間で移行させる。例えば、胴体支持部材２１０がユーザーの胴体との接触状態にある際には、力がユーザーから半径方向支持部材２０８に伝達される。半径方向支持部材２０８が直立支持部材２０８に向かって回転するのに伴って、非起立位置１８２から起立位置１８０に移動すべくユーザーが消費を要するエネルギーは小さくなる。同様に、半径方向支持部材２０８が直立支持部材１１２から離れるように回転するのに伴って、起立位置１８０から非起立位置１８２に移動すべくユーザーが消費を要するエネルギーは少なくなる。尚、本明細書において使用されている「直立」という用語は、体重の大部分が足によって支持されている直立姿勢であることを意味している。
【００４０】
いまや、本明細書に記述されている実施形態は、身体補助ロボット装置及びシステムに関するものであることが理解されよう。これらの実施形態は、着座、起立、及び歩行を補助するメカニズム及び自律的な動作を提供することにより、人々に対して移動性を提供する。着座及び起立の補助は、ユーザーを起立位置と非起立位置との間で移行させる被作動メカニズムによって提供される。更には、協働モード及び自律モードを提供することにより、歩行が促進される。これらのモードのそれぞれのものは、ユーザーに身体的な支持を提供する。ユーザーを所望の目的地に搬送する乗用構造及び自律的動作により、更なる移動性がユーザーに提供される。
【００４１】
尚、「実質的」及び「略」という用語は、本明細書においては、量的な比較、値、計測値、又はその他の表現に帰することができる不確実性の固有の程度を表すべく利用されている場合があることに留意されたい。又、これらの用語は、本明細書においては、量的表現が、対象の主題の基本的な機能の変化を結果的にもたらすことなしに、記述されている基準から変化することができる程度を表すためにも利用されている。
【００４２】
以上、特定の実施形態について図示及び記述したが、特許請求されている主題の精神及び範囲を逸脱することなしに、様々なその他の変更及び変形を実施可能であることを理解されたい。更には、本明細書においては、特許請求されている主題の様々な態様について記述しているが、これらの態様の組合せとしての利用は、必須ではない。従って、添付の請求項は、特許請求されている主題の範囲に含まれるそれらすべての変更及び変形を包含するものと解釈されたい。
なお、本願には以下の発明が含まれている。
（１）  直立支持部材を有するフレームと、
前記直立支持部材と摺動可能に係合した横方向部材と、
前記横方向部材と摺動可能に係合したハンドルと、
前記直立支持部材及び前記横方向部材に結合した上昇アクチュエータと、
前記横方向部材及び前記ハンドルに結合した横方向アクチュエータと、
を有し、
ユーザーを起立位置と非起立位置との間で移行させるべく、前記上昇アクチュエータが前記横方向部材を並進させると共に前記横方向アクチュエータが前記ハンドルを並進させる、身体補助ロボット装置。
（２）前記フレームと摺動可能に係合した基部部材と、
前記フレーム及び前記基部部材に結合した基部アクチュエータと、
を更に有し、
前記基部アクチュエータは、前記基部部材を並進させる上記（１）に記載の身体補助ロボット装置。
（３）前記直立支持部材と摺動可能に係合し、且つ、前記上昇アクチュエータに結合した追加の横方向部材と、
前記追加の横方向部材と摺動可能に係合した追加のハンドルと、
前記追加の横方向部材及び前記追加のハンドルに結合した追加の横方向アクチュエータと、
を更に有し、
前記ユーザーを前記起立位置と前記非起立位置との間で移行させるべく、前記上昇アクチュエータが前記追加の横方向部材を並進させると共に前記追加の横方向アクチュエータが前記追加のハンドルを並進させる上記（１）に記載の身体補助ロボット装置。
（４）機械可読命令を実行するプロセッサ及び前記機械可読命令を保存する電子メモリを有する電子制御ユニットと、
直立支持部材を有するフレームと、
前記フレームに回転可能に結合した駆動ホイールと、
前記駆動ホイールに結合した駆動モーターと、
前記直立支持部材と摺動可能に係合した横方向部材と、
前記横方向部材と摺動可能に係合したハンドルと、
前記横方向部材及び前記ハンドルに結合し、且つ、前記電子制御ユニットと通信可能に結合した横方向アクチュエータと
前記直立支持部材及び前記横方向部材に結合し、且つ、前記電子制御ユニットと通信可能に結合した上昇アクチュエータと、
を有し、
前記電子制御ユニットは、前記機械可読命令を実行することにより、
前記電子メモリ内に保存されているデータベースから少なくとも１つのユーザーパラメータを取得し、
少なくとも１つのユーザーパラメータに少なくとも部分的に基づいて、調節可能な上昇速度を設定し、且つ、
ユーザーを起立位置と非起立位置との間で移行させるべく、前記調節可能な上昇速度に従って前記上昇アクチュエータによって前記横方向部材を並進させる、身体補助ロボットシステム。
（５）前記電子制御ユニットは、前記機械可読命令を実行することにより、
前記少なくとも１つのユーザーパラメータに少なくとも部分的に基づいて、調節可能な上昇停止点を設定し、且つ、
前記上昇アクチュエータによって前記横方向部材を前記調節可能な上昇停止点に配置する上記（４）に記載の身体補助ロボットシステム。
（６）前記電子制御ユニットは、前記機械可読命令を実行することにより、
前記少なくとも１つのユーザーパラメータに少なくとも部分的に基づいて、調節可能な横方向速度を設定し、且つ、
前記ユーザーを前記起立位置と前記非起立位置との間で移行させるべく、前記調節可能な横方向速度に従って前記横方向アクチュエータによって前記ハンドルを並進させる上記（４）に記載の身体補助ロボットシステム。
（７）前記電子制御ユニットに通信可能に結合したユーザー認識モジュールを更に有し、
前記ユーザーの身元を示す識別信号が前記電子制御ユニットに伝送され、且つ、
前記電子制御ユニットは、前記機械可読命令を実行することにより、
前記識別信号を受信し、且つ、
前記身元を前記電子メモリ内に保存する上記（４）に記載の身体補助ロボットシステム。
（８）前記直立支持部材に結合し、且つ、前記電子制御ユニットと通信可能に結合した姿勢検出器を更に有し、
前記姿勢検出器は、前記ユーザーの姿勢を示す姿勢信号を前記電子制御ユニットに伝送し、且つ、
前記電子制御ユニットは、前記機械可読命令を実行することにより、
前記姿勢信号を受信し、且つ、
危険な姿勢が検出された際に警報を提供する上記（４）に記載の身体補助ロボットシステム。
（９）前記フレームに回転可能に結合した支持ホイールと、
前記フレームに結合し、且つ、前記電子制御ユニットと通信可能に結合した操向メカニズムと、
前記フレームに結合し、且つ、前記電子制御ユニットと通信可能に結合したナビゲーションモジュールと、
を更に有し、
前記ナビゲーションモジュールは、トポグラフ情報を前記電子制御ユニットに伝達し、且つ、
前記電子制御ユニットは、前記機械可読命令を実行することにより、
前記トポグラフ情報に少なくとも部分的に基づいて前記駆動モーターによって前記駆動ホイールを回転させ、且つ、
前記トポグラフ情報に少なくとも部分的に基づいて前記操向メカニズムによって前記身体補助ロボットシステムを操向する（４）に記載の身体補助ロボットシステム。
（１０）前記直立支持部材に結合し、且つ、前記電子制御ユニットに通信可能に結合したマンマシンインターフェイスを更に有し、
前記マンマシンインターフェイスは、目的地情報を受け取り、且つ、前記目的地情報を前記電子制御ユニットに伝達し、且つ、
前記電子制御ユニットは、前記機械可読命令を実行することにより、
前記目的地情報を前記電子メモリ内に保存し、
前記目的地情報に少なくとも部分的に基づいて前記駆動モーターによって前記駆動ホイールを回転させ、且つ、
前記目的地情報に少なくとも部分的に基づいて前記操向メカニズムによって前記身体補助ロボットシステムを操向する上記（９）に記載の身体補助ロボットシステム。
（１１）身体補助ロボットシステムであって、
機械可読命令を実行するプロセッサ及び前記機械可読命令を保存する電子メモリを有する電子制御ユニットと、
直立支持部材を有するフレームと、
前記フレームに回転可能に結合した駆動ホイールと、
前記フレームに回転可能に結合した支持ホイールと、
前記駆動ホイールに結合し、且つ、前記電子制御ユニットに通信可能に結合した駆動モーターと、
操向力を検出すべく前記電子制御ユニットに通信可能に結合した力検知装置と、
を有し、
前記電子制御ユニットは、前記機械可読命令を実行することにより、
協働モード又は自律モードを設定し、
当該身体補助ロボットシステムが前記協働モードにおいて稼働している際には、前記力検知装置によって検出された操向力に少なくとも部分的に基づいて前記駆動モーターによって前記駆動ホイールを回転させ、且つ、
当該身体補助ロボットシステムが前記自律モードにおいて稼働している際には、前記駆動モーターによって前記駆動ホイールを回転させて前記身体補助ロボットシステムを自律的に推進させる、身体補助ロボットシステム。
（１２）前記フレームと運動可能に係合した足置きと、
前記フレーム及び前記足置きに結合し、且つ、前記電子制御ユニットと通信可能に結合した足置きアクチュエータと、
を更に有し、
前記電子制御ユニットは、前記機械可読命令を実行することにより、前記足置きアクチュエータによって前記足置きを収納又は展開する上記（１１）に記載の身体補助ロボットシステム。
（１３）前記フレームと回転可能に係合した半径方向支持部材と、
前記半径方向支持部材に結合した胴体支持部材と、
前記フレーム及び前記半径方向支持部材に結合し、且つ、前記電子制御ユニットに通信可能に結合した回転アクチュエータと、
を更に有し、
前記電子制御ユニットは、前記機械可読命令を実行することにより、ユーザーを起立位置と非起立位置との間で移行させるべく前記回転アクチュエータによって前記半径方向支持部材を回転させる上記（１１）に記載の身体補助ロボットシステム。
（１４）前記フレームに結合し、且つ、前記電子制御ユニットと通信可能に結合した操向メカニズムを更に有し、
前記電子制御ユニットは、前記機械可読命令を実行することにより、
目的地情報を前記電子メモリ内に保存し、
目的地情報に少なくとも部分的に基づいて前記駆動モーターによって前記駆動ホイールを回転させ、且つ、
前記目的地情報に少なくとも部分的に基づいて前記操向メカニズムによって当該身体補助ロボットシステムを操向する上記（１１）に記載の身体補助ロボットシステム。
（１５）前記フレームに結合し、且つ、前記電子制御ユニットと通信可能に結合したナビゲーションモジュールを更に有し、
前記電子制御ユニットは、前記機械可読命令を実行することにより、
前記ナビゲーションモジュールからトポグラフ情報を受信し、
前記トポグラフ情報に少なくとも部分的に基づいて前記駆動モーターによって前記駆動ホイールを回転させ、且つ、
前記トポグラフ情報に少なくとも部分的に基づいて前記操向メカニズムによって前記身体補助ロボットシステムを操向する上記（１４）に記載の身体補助ロボットシステム。
【図１】
0005951945.tif 000002
【図２】
0005951945.tif 000003
【図３Ａ】
0005951945.tif 000004
【図３Ｂ】
0005951945.tif 000005
【図３Ｃ】
0005951945.tif 000006
【図４】
0005951945.tif 000007
【図５】
0005951945.tif 000008
【図６Ａ】
0005951945.tif 000009
【図６Ｂ】
0005951945.tif 000010
【図６Ｃ】
0005951945.tif 000011
【図７】
0005951945.tif 000012